(57)【要約】【課題】製造性を向上することが可能な電動ウォータポンプを提供すること。【解決手段】ウォータポンプ１は、モータケース４０とは別体であって、回転軸線方向においてモータケース４０とポンプケース２０との間に配設され、自らとポンプケース２０との間に、インペラ５０の収容室２２及び環状流路２３を形成する中間部材３０を備える。そして、中間部材３０は、回転軸１０の周囲に設けられて収容室２２からの水の漏出を抑制するためのメカニカルシール１３を保持するシール保持部３４を有する。【選択図】図１
2018159303.tif 000002
【特許請求の範囲】
【請求項１】
電動式のモータ（６０）と、
前記モータの回転出力を伝達する回転軸（１０）と、
前記回転軸により伝達される前記回転出力により回転して水を圧送可能なインペラ（５０）と、
前記回転軸の回転軸線方向（ＸＸ）に沿って延設されて、前記モータを内方に収容し前記モータを保持する筒状部（４３）と、前記モータと前記インペラとの間で前記回転軸を回転自在に支持するベアリング（１１）を保持するベアリング保持部（４５）と、を有するモータケース（４０）と、
前記インペラを収容する収容空間（２２）、及び、前記インペラの周囲に前記水の環状流路（２３）を形成するためのポンプケース（２０）と、
前記モータケースとは別体であって、前記回転軸線方向において前記モータケースと前記ポンプケースとの間に配設され、自らと前記ポンプケースとの間に、前記収容空間及び前記環状流路を形成する中間部材（３０）と、を備え、
前記中間部材は、
前記回転軸の周囲に設けられて前記収容空間からの前記水の漏出を抑制するためのメカニカルシール（１３）を保持するシール保持部（３４）を有する電動ウォータポンプ。
【請求項２】
前記中間部材は、
前記筒状部から前記環状流路を流れる前記水に熱を伝達する第１伝熱部（３１）と、
前記ベアリング保持部から前記環状流路を流れる前記水に熱を伝達する第２伝熱部（３２）と、をさらに有する、請求項１に記載の電動ウォータポンプ。
【請求項３】
前記第１伝熱部及び前記第２伝熱部は、いずれも前記回転軸を取り囲む環状の壁部として形成され、
前記中間部材には、前記第１伝熱部と前記第２伝熱部との間に、前記モータケースの側の端面から前記ポンプケースの側に向かって凹む凹部（３５）が形成されている、請求項２に記載の電動ウォータポンプ。
【請求項４】
前記モータケースは、前記中間部材の側の端部に、表面積を拡大するように形成された表面積拡大部（４７）を有する、請求項３に記載の電動ウォータポンプ。
【請求項５】
前記表面積拡大部は、前記凹部の内方に突出する突出部である、請求項４に記載の電動ウォータポンプ。
【請求項６】
前記突出部は、前記モータケースと一体である、請求項５に記載の電動ウォータポンプ。
【発明の詳細な説明】
【技術分野】
【０００１】
ここに開示される技術は、電動式のウォータポンプに関する。
【背景技術】
【０００２】
従来技術として、例えば、下記特許文献１に開示された電動式のウォータポンプがある。このウォータポンプは、外殻をポンプケースとモータケースとで構成している。モータケースは、モータのステータを保持するとともに、モータとインペラとの間に配置されるベアリング及びメカニカルシールを保持している。
【先行技術文献】
【特許文献】
【０００３】
【特許文献１】特開２０１３−１００７２３号公報
【発明の概要】
【発明が解決しようとする課題】
【０００４】
上記従来技術のウォータポンプでは、モータケースがベアリング及びメカニカルシールの両者を保持するため、モータケースのモータとインペラとの間に配置される部分の回転軸線方向厚さが大きくなってしまう。このような肉厚構造部を有するモータケースは、例えば鋳造により形成する場合に、製造性に難がある。
【０００５】
ここに開示される技術は、製造性を向上することが可能な電動ウォータポンプを提供することを目的とする。
【課題を解決するための手段】
【０００６】
上記目的を達成するため、開示される技術の一つでは、
電動式のモータ（６０）と、
モータの回転出力を伝達する回転軸（１０）と、
回転軸により伝達される回転出力により回転して水を圧送可能なインペラ（５０）と、
回転軸の回転軸線方向（ＸＸ）に沿って延設されて、モータを内方に収容しモータを保持する筒状部（４３）と、モータとインペラとの間で回転軸を回転自在に支持するベアリング（１１）を保持するベアリング保持部（４５）と、を有するモータケース（４０）と、
インペラを収容する収容空間（２２）、及び、インペラの周囲に水の環状流路（２３）を形成するためのポンプケース（２０）と、
モータケースとは別体であって、回転軸線方向においてモータケースとポンプケースとの間に配設され、自らとポンプケースとの間に、収容空間及び環状流路を形成する中間部材（３０）と、を備え、
中間部材は、回転軸の周囲に設けられて収容空間からの水の漏出を抑制するためのメカニカルシール（１３）を保持するシール保持部（３４）を有する。
【０００７】
これによると、メカニカルシールを保持するシール保持部を有する中間部材を、ベアリング保持部を有するモータケースに対し、別体とすることができる。したがって、モータケース及び中間部材を、いずれも薄肉化することが可能である。このようにして、製造性を向上することができる。
【０００８】
開示される技術の他の一つでは、
中間部材は、
筒状部から環状流路を流れる水に熱を伝達する第１伝熱部（３１）と、
ベアリング保持部から環状流路を流れる水に熱を伝達する第２伝熱部（３２）と、をさらに有する。
【０００９】
これによると、モータが発する熱を、モータケースの筒状部から第１伝熱部を介して環状流路を流れる水に伝達することができる。また、ベアリングが発する熱を、モータケースのベアリング保持部から第２伝熱部を介して環状流路を流れる水に伝達することができる。したがって、モータ及びベアリングを効率よく冷却することができる。
【００１０】
なお、特許請求の範囲およびこの項に記載した括弧内の符号は、ひとつの態様として後述する実施形態に記載の具体的手段との対応関係を示すものであって、開示技術の範囲を限定するものではない。
【図面の簡単な説明】
【００１１】
【図１】第１実施形態に係る電動ウォータポンプの構成を示す断面図である。
【図２】電動ウォータポンプのモータケース端部の構成を説明するための斜視図である。
【発明を実施するための形態】
【００１２】
以下に、図面を参照しながら開示技術を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１３】
（第１実施形態）
開示技術を適用した第１実施形態について、図１〜図２を参照して説明する。電動式のウォータポンプ１は、ポンプ部２と、モータ部３と、モータ部３からポンプ部２へ回転力を伝達するための回転軸１０とを備える。ポンプ部２とモータ部３とは、回転軸１０の回転軸線方向である図示ＸＸ方向において並設されている。以下、回転軸１０の回転軸線方向を単にＸＸ方向と呼ぶ場合がある。ウォータポンプ１は、例えば車両に搭載されて、内燃機関やモータ等の車両駆動力源、ラジエータ、ウォータポンプ１の順に流す冷却水の循環系に用いられる。
【００１４】
ウォータポンプ１の外殻は、ポンプケース２０、中間部材３０、及びモータケース４０を有して構成される。ポンプ部２は、ポンプケース２０、及びインペラ５０を有する。ポンプケース２０は、樹脂製であり、例えばポリフェニレンサルファイド樹脂を射出成形加工して形成されている。ポンプケース２０は、パイプ状の小径部と小径部よりもモータ部３側に位置付けられる大径部とが一体となっており、小径部の反モータ部側の端部が水の流入ポート２１となっている。大径部の内部にはインペラ５０が配設されている。インペラ５０は、例えば樹脂製であり、遠心式の羽根車である。
【００１５】
ポンプケース２０と中間部材３０とは、ボルトにより相互に締結されている。ポンプケース２０と中間部材３０との間には、インペラ５０を収容する収容空間である収容室２２と、インペラ５０の回転により送り出される水が流れる環状流路２３とが形成されている。環状流路２３は、ノーズ部を起点とし徐々に流路断面積を拡大する渦巻状流通路であり、下流端は図２に示す流出ポート２４となっている。
【００１６】
ポンプケース２０の構成は上記したものに限定されない。ポンプケース２０と中間部材３０との間に、収容室２２と環状流路２３とが形成されればよい。したがって、例えば、中間部材に、上記した大径部の周状の壁に相当する部分や流出ポートを設け、ポンプケースをパイプ状の小径部と小径部の端部から径外方向に拡がる蓋部とで構成してもよい。
【００１７】
インペラ５０を有する遠心式のポンプ部２は、インペラ５０の回転に伴い、流入ポート２１からＸＸ方向に流入した水がインペラ５０により径外方向に押し出される。インペラ５０により押し出された水は、環状流路２３を旋回して流れ、流出ポート２４から流出する。ポンプケース２０と中間部材３０との間には、環状流路２３から外部への水漏れを抑止するためのシール部材として、例えばＯリングが介設されている。
【００１８】
モータ部３は、モータケース４０、ベアリング１１、１２、及びモータ６０を有する。モータケース４０は、金属製であり、例えばアルミニウム合金をダイカスト加工して形成されている。モータケース４０は、第１ケース部４１と第２ケース部４２とを組み合わせて構成される。第１ケース部４１と第２ケース部４２とは、ボルトにより相互に締結されている。モータケース４０は、内部にモータ収容空間を形成する。
【００１９】
第１ケース部４１は、筒状部である円筒部４３、端板部４４、及びベアリング保持部４５が一体形成されている。円筒部４３は、ＸＸ方向に延びる円筒体であり、その内方にモータ６０が配置されている。円筒部４３は、その内周面でモータ６０のステータ６２を保持する。円筒部４３はモータ保持部と呼ぶことができる。円筒部４３のポンプ部２側の端部には、径方向に延在する端板部４４が設けられている。端板部４４の中央には開口が形成されており、この開口内に回転軸１０が挿設されている。端板部４４と回転軸１０との間には、回転軸１０を回転自在に支持するベアリング１１が配設されている。端板部４４の内方側の端部には、ベアリング１１の外輪を保持するベアリング保持部４５が設けられている。
【００２０】
第２ケース部４２は、円筒部４３の反ポンプ部側の端部において、端部開口を閉塞するように設けられている。第２ケース部４２は、径方向に延在する板状体であり、中央部にはポンプ部２側に突出する円環壁状のベアリング保持部４６が設けられている。回転軸１０のモータ部３側の端部は、ベアリング保持部４６の内方に位置しており、ベアリング保持部４６と回転軸１０との間には、回転軸１０を回転自在に支持するベアリング１２が配設されている。ベアリング保持部４６は、ベアリング１２の外輪を保持する。
【００２１】
第２ケース部４２のベアリング保持部４６よりも外周側の部分には開口が形成され、開口内にはコネクタ６３が配設されている。コネクタ６３は、外部からモータ６０のステータ６２へ給電するための端子部を有する。第１ケース部４１と第２ケース部４２との間には、外部からモータケース４０内のモータ収容空間への水の浸入を抑止するためのシール部材として、例えばＯリングが介設されている。
【００２２】
ＸＸ方向におけるポンプケース２０とモータケース４０との間には、両方のケースとは別体の中間部材３０が配設されている。中間部材３０とモータケース４０とは、ボルトにより相互に締結されている。中間部材３０は、金属製であり、例えばアルミニウム合金をダイカスト加工して形成されている。中間部材３０は、第１環状壁３１、第２環状壁３２、端板部３３、及びシール保持部３４が一体形成されている。
【００２３】
第１環状壁３１は、本例では円筒部４３と同一径の円筒状の壁部としている。第１環状壁３１は、回転軸１０を取り囲む環状の壁部である。第１環状壁３１のモータ部３側の端部は、モータケース４０の円筒部４３のポンプ部２側の端部に全周に亘って密着している。第１環状壁３１のポンプ部２側の端部は、全周に亘って環状流路２３に臨んでいる。第１環状壁３１は、円筒部４３から環状流路２３を流れる水に熱を伝達可能である。第１環状壁３１は、本実施形態における第１伝熱部に相当する。
【００２４】
第２環状壁３２は、本例ではＸＸ方向において径が変化する筒状の壁部としている。第２環状壁３２は、回転軸１０を取り囲む環状の壁部である。第２環状壁３２のモータ部３側の端部は、モータケース４０のベアリング保持部４５近傍に全周に亘って密着している。第２環状壁３２のポンプ部２側の端部は、全周に亘って環状流路２３に臨んでいる。第２環状壁３２の断面形状は、図１に示すように若干屈曲している。第２環状壁３２の断面形状は、モータ部３側の端部からポンプ部２側の端部に向かって直線状であってもよい。第２環状壁３２は、ベアリング保持部４５から環状流路２３を流れる水に熱を伝達可能である。第２環状壁３２は、本実施形態における第２伝熱部に相当する。
【００２５】
端板部３３は、第１環状壁３１のポンプ部２側の端部と第２環状壁３２のポンプ部２側の端部とを全周に亘って繋いでいる。シール保持部３４は、第２環状壁３２のモータ部３側の端部からポンプ部２側に突出する円環壁状に形成されている。シール保持部３４の内方には回転軸１０が配設されており、シール保持部３４と回転軸１０との間には、メカニカルシール１３が配設されている。メカニカルシール１３は、回転軸１０の周囲に設けられて、収容室２２からモータ部３側への漏水を抑制する軸シール機構である。シール保持部３４は、メカニカルシール１３の固定環を保持する。
【００２６】
回転軸１０は、ポンプ部２からモータ部３にまでＸＸ方向に延在している。回転軸１０には、ポンプ部２側から順に、インペラ５０、メカニカルシール１３の回転環、ベアリング１１の内輪、モータ６０のロータ６１、ベアリング１２の内輪が固定されている。本実施形態のメカニカルシール１３は、ＸＸ方向においてポンプケース２０とモータケース４０との間に位置付けられた中間部材３０により保持されている。
【００２７】
図１からも明らかなように、中間部材３０は、第１環状壁３１と第２環状壁３２との間に、モータケース４０側の端面からポンプ部２側に向かって凹む凹部３５が形成されている。本例では凹部３５は回転軸１０を取り囲む環状の凹部として形成されている。また、中間部材３０は、第２環状壁３２とシール保持部３４との間に、ポンプケース２０側の端面からモータ部３側に向かって凹む凹部３６が形成されている。本例では凹部３６は回転軸１０を取り囲む環状の凹部として形成されている。凹部３５、３６は、中間部材３０における肉盗み部である。
【００２８】
凹部３５内には、メカニカルシール１３の固定環と回転環との間から僅かに水が浸入する場合がある。中間部材３０には、凹部３５内から外部へ水を排出するための水抜き通路が形成されている。また、中間部材３０には、凹部３５内へ浸入して気化した水蒸気を外部へ排出するための蒸気抜き通路が形成されている。水抜き通路及び蒸気抜き通路は、中間部材３０のモータケース４０側の面に設けた溝により提供される。水抜き通路及び蒸気抜き通路は、第１ケース部４１の中間部材３０側の面に設けた溝によっても提供可能である。水抜き通路及び蒸気抜き通路は、中間部材３０に設けた貫通孔によっても提供可能である。
【００２９】
モータケース４０の端板部４４には、複数の突出フィン４７が設けられている。図２に示すように、複数の突出フィン４７は、相互に間隔を空けて回転軸１０を取り囲む周状に配列されている。複数の突出フィン４７は、モータケース４０の第１ケース部４１と一体形成されて、端板部４４から凹部３５内へＸＸ方向に突出している。複数の突出フィン４７のそれぞれは、径方向に延在する薄板状である。突出フィン４７は、凹部３５の内方へ突出する突出部に相当する。突出フィン４７は、モータケース４０の中間部材３０側の端面のうち、凹部３５に臨む領域の表面積を拡大している。突出フィン４７は、本実施形態における表面積拡大部に相当する。
【００３０】
図１に示すように、中間部材３０は、凹部３５内に複数のフィン３７を有している。複数のフィン３７は、相互に間隔を空けて回転軸１０を取り囲む周状に配列されている。複数のフィン３７は、中間部材３０に一体形成されて、それぞれが径方向に延びる薄板状であり、第１環状壁３１と第２環状壁３２とを繋いでいる。フィン３７のモータケース４０側の端部は、突出フィン４７のＸＸ方向における基端部と先端部との間に位置付けられている。本例では、回転軸１０を取り囲む周方向において、突出フィン４７とフィン３７とが交互に配置されている。
【００３１】
また、中間部材３０は、凹部３６内に複数のフィン３８を有している。複数のフィン３８は、相互に間隔を空けて回転軸１０を取り囲む周状に配列されている。複数のフィン３８は、中間部材３０に一体形成されて、それぞれが径方向に延びる薄板状であり、第２環状壁３２とシール保持部３４とを繋いでいる。フィン３７は、中間部材３０のモータケース４０側の面の表面積を拡大している。フィン３８は、中間部材３０のポンプケース２０側の面の表面積を拡大している。
【００３２】
上記構造のウォータポンプ１は、コネクタ６３を介するステータ６２への電力供給に伴いロータ６１が回転して、モータ６０の回転出力が回転軸１０によりインペラ５０へ伝達される。回転出力を得て回転するインペラ５０により、ポンプ部２において流入ポート２１から流出ポート２４へ水が圧送される。ポンプ部２では、流入ポート２１、収容室２２、環状流路２３、流出ポート２４の順に水が流れる。このとき、環状流路２３及び凹部３６内では、水の旋回流が形成される。
【００３３】
モータ６０が回転駆動すると、モータ６０が発熱するとともに、ベアリング１１、１２も発熱する。モータ６０のステータ６２が発する熱は、円筒部４３及び第１環状壁３１を介して環状流路２３を流れる水に伝達されて、モータ６０が冷却される。ベアリング１２が発する熱は、ベアリング保持部４６から第２ケース部４２、円筒部４３及び第１環状壁３１を介して環状流路２３を流れる水に伝達されて、ベアリング１２が冷却される。ベアリング１１が発する熱は、ベアリング保持部４５から第２環状壁３２を介して環状流路２３を流れる水に伝達されて、ベアリング１１が冷却される。
【００３４】
ポンプ部２内を流れる水の一部、例えばメカニカルシール１３の制御水が、メカニカルシール１３を介して、ポンプ部２側からモータ部３側へ浸入する場合がある。モータ部３側へ浸入した水は、凹部３５内へも浸入可能である。モータ６０やベアリング１１、１２が発する熱の一部は、突出フィン４７が設けられた端板部４４に伝達される。凹部３５内へ浸入した水は、端板部４４に伝達された熱により加熱される。これによっても、モータ６０及びベアリング１１、１２を冷却することができる。モータ６０及びベアリング１１、１２を、凹部３５内へ浸入した水の気化熱により冷却することができる。気化して水蒸気となった水は、蒸気抜き通路を介して外部へ排出される。気化しなかった水は、水抜き通路を介して外部へ排出される。
【００３５】
モータ６０やベアリング１１、１２が発し端板部４４へ伝達された熱のうち、水の加熱に用いられなかった熱は、突出フィン４７を有する端板部４４からフィン３７を有する中間部材３０へ、放射及び空気を介する熱伝導により伝達される。前述のモータケース４０と中間部材３０との密着部、及び上述した凹部３５内を介して中間部材３０へ伝達された熱は、環状流路２３及び凹部３６内の旋回流水へ放熱される。凹部３６内の旋回流水へ放熱は、フィン３８の効果により効率的に行われる。凹部３６内の旋回流水の形成を阻害しないように、フィン３８は旋回流の流れ方向に延在させてもよい。
【００３６】
本実施形態のウォータポンプ１によれば、以下に述べる効果を得ることができる。
【００３７】
ウォータポンプ１は、電動式のモータ６０と、モータ６０の回転出力を伝達する回転軸１０と、回転軸１０により伝達される回転出力により回転して水を圧送可能なインペラ５０とを備える。また、円筒部４３とベアリング保持部４５とを有するモータケース４０を備える。円筒部４３は、回転軸１０の回転軸線方向に沿って延設されて、モータ６０を内方に収容しモータ６０を保持する筒状部である。ベアリング保持部４５は、モータ６０とインペラ５０との間で回転軸１０を回転自在に支持するベアリング１１を保持する。ウォータポンプ１は、インペラ５０を収容する収容空間である収容室２２、及び、インペラ５０の周囲に水の環状流路２３を形成するためのポンプケース２０を備える。更に、モータケース４０とは別体であって、回転軸線方向においてモータケース４０とポンプケース２０との間に配設され、自らとポンプケース２０との間に、収容室２２及び環状流路２３を形成する中間部材３０を備える。そして、中間部材３０は、回転軸１０の周囲に設けられて収容室２２からの水の漏出を抑制するためのメカニカルシール１３を保持するシール保持部３４を有する。
【００３８】
これによると、メカニカルシール１３を保持するシール保持部３４を有する中間部材３０を、ベアリング保持部４５を有するモータケース４０に対し、別体とすることができる。したがって、モータケース４０及び中間部材３０を、いずれも薄肉化することが可能である。このようにして、製造性を向上することができる。本例のように、中間部材３０やモータケース４０をダイカスト加工により形成する場合には、中間部材３０やモータケース４０が肉厚の構造部を有しないことは、製造性の観点から極めて有効である。
【００３９】
また、中間部材３０は、筒状部である円筒部４３から環状流路２３を流れる水に熱を伝達する第１伝熱部である第１環状壁３１と、ベアリング保持部４５から環状流路２３を流れる水に熱を伝達する第２伝熱部である第２環状壁３２と、をさらに有する。
【００４０】
これによると、モータ６０が発する熱を、モータケース４０の円筒部４３から第１環状壁３１を介して環状流路２３を流れる水に伝達することができる。また、ベアリング１１が発する熱を、モータケース４０のベアリング保持部４５から第２環状壁３２を介して環状流路２３を流れる水に伝達することができる。したがって、モータ６０及びベアリング１１を効率よく冷却することができる。また、本例のように、一対のベアリング１１，１２で回転軸１０を回転自在に支持する場合には、ベアリング１２も効率よく冷却することができる。
【００４１】
また、第１伝熱部及び第２伝熱部は、いずれも回転軸１０を取り囲む環状の壁部として形成されている。そして、中間部材３０には、第１伝熱部と第２伝熱部との間に、モータケース４０の側の端面からポンプケース２０の側に向かって凹む凹部３５が形成されている。これによると、中間部材３０をさらに薄肉化して、製造性をさらに向上するとともに、軽量化に寄与することができる。また、第１伝熱部及び第２伝熱部を環状壁部としているが、第１環状壁３１は円筒部４３の端部と環状流路２３とを直線的に結び、第２環状壁３２はベアリング保持部４５近傍と環状流路２３とを比較的直線的に結んでいる。したがって、発熱源であるモータ６０やベアリング１１、１２からの伝熱経路を比較的短くして、旋回流水によって受熱が容易な環状流路２３へ効率よく熱伝達することが可能である。
【００４２】
また、モータケース４０は、中間部材３０の側の端部に、表面積を拡大するように形成された表面積拡大部としての突出フィン４７を有する。これによると、モータケース４０は、モータ６０やベアリング１１が発する熱を、表面積拡大部から効率よく放熱することができる。また、表面積拡大部は、凹部３５の内方に突出する突出部としての突出フィン４７である。これによると、放熱のための表面積拡大部を、凹部３５内に突出する突出部により容易に提供することができる。また、突出部である突出フィン４７は、モータケース４０と一体である。これによると、突出部をモータケース４０形成時に容易に形成することができる。突出部を平板形状の突出フィン４７とすることで、ダイカスト加工による製造が極めて容易になる。また、突出フィン４７をモータケース４０と一体化することで、モータケース本体から突出部への確実な熱伝達を提供できる。
【００４３】
本実施形態のウォータポンプ１は、モータケース４０や中間部材３０を薄肉化しても発熱源を充分に冷却することができるため、耐久信頼性を向上することができる。また、円筒部４３の外方に突出する放熱フィン等を設ける必要がないので、モータ部の体格の小型化にも寄与できる。また、中間部材３０の表面積拡大部としてのフィン３７、３８を一体形成しているので、ダイカスト加工によるフィンを有する中間部材３０の製造が容易である。また、フィン３７、３８は、凹部３５、３６を挟んだ部位同士を繋ぐように形成されているので、中間部材３０の構造的強度の向上にも寄与している。
【００４４】
また、メカニカルシール１３の制御水が、突出フィン４７の効果により蒸発し易くなり、外部に排出される液相の水滴を減少することができる。また、制御水の蒸発潜熱を利用して、モータ部３の放熱性を向上することができる。
【００４５】
（他の実施形態）
この明細書に開示される技術は、その開示技術を実施するための実施形態に何ら制限されることなく、種々変形して実施することが可能である。開示される技術は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示技術の技術的範囲は、実施形態の記載に限定されない。開示技術のいくつかの技術的範囲は、特許請求の範囲の記載によって示され、さらに特許請求の範囲の記載と均等の意味及び範囲内での全ての変更を含むものと解されるべきである。
【００４６】
上記実施形態では、モータケース４０に設ける突出部を突出フィン４７としていたが、これに限定されるものではない。例えば、突出部を多数の円柱状ピンや六角柱ピンとしてもかまわない。突出部を多数のピン状とすることで、極めて表面積を拡大することができる。また、突出部はモータケースに一体形成されるものに限定されない。例えば上記した形状のピン部材やフィンを有するヒートシンク等の別体品を、サーマルペースト等の高熱伝導部材を介設してモータケース端面に設けてもかまわない。
【００４７】
また、上記実施形態では、モータケース４０端部の表面積拡大部を突出部としていたが、これに限定されるものではない。例えば、モータケース４０端部に設ける複数の溝で表面積拡大部を形成してもよい。また、モータケース４０の端部を多孔構造として表面積拡大部としてもよい。また、第１環状壁３１及び第２環状壁３２による熱伝達によりモータ６０やベアリング１１、１２を充分に冷却できるのであれば、表面積拡大部は廃止することも可能である。
【００４８】
また、上記実施形態では、中間部材３０に第１、第２伝熱部として環状の壁部を設けていたが、これに限定されるものではない。例えば、中間部材を凹部のない平板状として、内部に第１、第２伝熱部として機能する部位を備えるものであってもよい。
【００４９】
また、上記実施形態では、電動式のウォータポンプ１について説明したが、ポンプ部が圧送する流体が水以外の液体である電動式の流体ポンプに開示技術を適用してもよい。
【符号の説明】
【００５０】
１  ウォータポンプ（電動ウォータポンプ）
１０  回転軸
１１  ベアリング
１３  メカニカルシール
２０  ポンプケース
２２  収容室（収容空間）
２３  環状流路
３０  中間部材
３１  第１環状壁（第１伝熱部）
３２  第２環状壁（第２伝熱部）
３４  シール保持部
４０  モータケース
４３  円筒部（筒状部）
４５  ベアリング保持部
５０  インペラ
６０  モータ
【図１】
2018159303.tif 000003
【図２】
2018159303.tif 000004